(57)【要約】【課題】透明板から遊技盤表面までの距離を一定に保持することができるパチンコ遊技機を提供すること。【解決手段】遊技領域の前面に配置されて当該遊技領域から遊技球が遊技者側に飛び出すことを防止し、当該遊技領域を視認可能とする透明板と、遊技盤と透明板との距離を一定に保持するスペーサとを備える。【選択図】図４
2013059492.tif 000002
【特許請求の範囲】
【請求項１】
遊技盤の前面に形成された遊技領域に遊技球が打ち出されるパチンコ遊技機であって、
前記遊技領域の前面に配置されて当該遊技領域から遊技球が遊技者側に飛び出すことを防止し、当該遊技領域を視認可能とする透明板と、
前記遊技盤と前記透明板との距離を一定に保持するスペーサとを備える、パチンコ遊技機。
【請求項２】
前記スペーサは、前記遊技盤の表面と前記透明板の当該遊技盤側表面とに当接して配置される、請求項１に記載のパチンコ遊技機。
【請求項３】
前記透明板を前記スペーサに押し付ける弾性部材を有する、請求項１又は２に記載のパチンコ遊技機。
【請求項４】
前記透明板は、前記遊技盤側に配置される内側透明板と、遊技者側に配置される外側透明板とを有し、
前記弾性部材は、前記内側透明板と前記外側透明板との間に配置されて、当該内側透明板を前記スペーサに押し付ける、請求項３に記載のパチンコ遊技機。
【発明の詳細な説明】
【技術分野】
【０００１】
本発明は、遊技者が遊技球を入賞口等に入賞させる遊技を行うパチンコ遊技機に関する。
【背景技術】
【０００２】
従来、パチンコ遊技機には、遊技領域から遊技球が飛び出さないように、透明板（典型的には、ガラス板）が備えられている。例えば、特許文献１の図１には、この透明板として透明ガラス板２ａが備えられたパチンコ遊技機が開示されている。
【０００３】
図５は、従来のパチンコ遊技機１００の一例を示す概略正面図である。図６は、図５の従来のパチンコ遊技機１００の扉部分を開いた状態を示す概略図である。以下、図５及び図６を用いて、従来のパチンコ遊技機１００について説明する。なお、以下では、パチンコ遊技機を、単に、遊技機という場合がある。
【０００４】
図６に示すように、遊技機１００は、本体枠２０と扉部分３とを備える。扉部分３は、蝶番として機能する金具２１及び２２によって本体枠２０に開閉可能に取り付けられている。本体枠２０には、ベニヤ板（合板）等から成る遊技盤２が固定されている。遊技盤２の前面には、遊技領域１０が形成され、遊技領域１０には、図５に示すように、始動口７、遊技クギ５及び６、画像表示部４、大入賞口８等が配置されている。なお、遊技領域１０には、遊技クギ５及び６の他にも多数の遊技クギ（図示せず）が配置されており、又、様々な役物（図示せず）が配置されている。遊技盤２の背面には、内部抽選、賞球払出し、演出制御等を実行する様々な電子基板や機械部品等（図示せず）が配置されている。扉部分３には、図６に示すように、扉部分３の裏側から透明板１４がはめ込まれて、４つのストッパ２４によって固定されている。図６に示すように、本体枠２０には錠部１１が設けられ、扉部分３には扉部分３が閉じられた状態（図５の状態：以下、閉状態という）において錠部１１が挿入される貫通穴２５が設けられている。そして、図５に示す閉状態において錠部１１が施錠されると、本体枠２０に備えられた爪部（図示せず）によって扉部分３は閉状態で固定されて開かなくなる。
【０００５】
図５に示すように、扉部分３の前面右下には、レバー１３を有するハンドル１２が備えられている。遊技者がハンドル１２に触れてレバー１３を時計回りに回転させる操作を行うと、その操作角度に応じた打球力にて所定の時間間隔（例えば、１分間に１００個）で遊技球が発射されて、遊技領域１０の上部から遊技領域１０に打ち出される。打ち出された遊技球は、遊技領域１０に配置された様々な役物や多数の遊技クギに当たりながら遊技領域１０を流下する。始動口７には遊技領域１０を流下する遊技球が入賞可能であり、始動口７に遊技球が入賞する（入る）と遊技盤２の背面に配置された電子基板によって特別図柄抽選（大当り抽選）が実行され、又、所定数（例えば３個）の遊技球が払い出される。遊技クギ５及び６は、始動口７の直上に配置され、その先端部分の開き具合によって遊技球が始動口７に入る確率を調節することができる。特別図柄抽選に当選すると、大入賞口８が所定パターンで開放される大当り遊技が開始される。遊技者は、大当り遊技において開放された大入賞口８に遊技球を入賞させることによって、多量の遊技球（払出球）を獲得することができる。遊技領域１０の最下部には排出口９が設けられ、始動口７や大入賞口８に入らなかった遊技球を、遊技領域１０の外部に排出する。画像表示部４は、例えば液晶表示装置によって構成され、演出を交えて特別図柄抽選の結果を遊技者に報知する画像等を表示する。
【０００６】
図７は、従来のパチンコ遊技機１００に備えられる透明板１４を説明するための図である。図７において、（１）は透明板１４の正面図であり、（２）は（１）の正面図のＧ−Ｇ’断面図であり、（３）は（２）のＨ部分の拡大図である。図７（１）及び（２）に示すように、透明板１４は、一本の帯の両端を繋いだ輪形状の枠３０と、透明な平板から成る外側透明板３１と、透明な平板から成る内側透明板３２とを備える。また、図７（１）〜（３）に示すように、外側透明板３１及び内側透明板３２は、枠３０に、互いが平行になるようにはめ込まれて固定（接着）されている。なお、外側透明板３１及び内側透明板３２の材質は、例えば、ガラスや樹脂である。
【先行技術文献】
【特許文献】
【０００７】
【特許文献１】特開２０１１−１５２２６８号公報
【発明の概要】
【発明が解決しようとする課題】
【０００８】
上記した従来のパチンコ遊技機１００の図５に示す閉状態において、透明板１４の内側透明板３２の遊技盤２側表面から遊技盤２表面までの距離（以下、奥行きＸという）には、遊技機によってバラツキが生じる。そして、奥行きＸが大きい程、遊技球が始動口７に入賞し易くなる場合がある。以下、図８を用いて詳しく説明する。
【０００９】
図８は、図５の遊技機１００のＦ−Ｆ’断面を示す概略図であり、遊技領域１０の奥行きＸが遊技機によってバラツク仕組み、及び奥行きＸの差異によって始動口７への入賞率が変化する仕組みについて説明するための図である。また、図８（１）は、奥行きＸが比較的大きい場合を示し、図８（２）は、奥行きＸが比較的小さい場合を示している。
【００１０】
まず、図８（１）を参照して、奥行きＸが遊技機によってバラツク仕組みについて説明する。図８（１）に示すように、遊技盤２は本体枠２０に取り付けられ、透明板１４は扉部分３に取り付けられている。そして、本体枠２０と扉部分３とは、左側において金具２１及び２２によって連結され、右側において錠部１１によって連結されている（図６参照）。つまり、遊技盤２と透明板１４とは、本体枠２０、金具２１及び２２、錠部１１、及び扉部分３（以下、連結要素という）を介して、相対的な位置関係（つまり、奥行きＸ）を保っている。ここで、上記の連結要素の寸法はそれぞれバラツキを有し、又、連結要素間の連結（組み付き）にはあそび（ガタ）が有る。このことから、図８（１）に示すＹの寸法（遊技盤２表面から扉部分３の透明板１４の位置決め部分までの距離）は、遊技機毎にバラツクこととなる。この結果として、奥行きＸは遊技機によってバラツクこととなる。図８（１）ではＹが大きいので奥行きＸが大きくなり、図８（２）ではＹが小さいので奥行きＸが小さくなっている。更に、上記した連結要素間のあそびは遊技機が古くなると大きくなる傾向にあるので、奥行きＸのバラツキも大きくなる傾向にある。また、更には、遊技者は、例えばハンドル１２を引っ張ることによって、扉部分３を引っ張って奥行きＸを意図的に大きくすることができる場合がある。この様に、従来の遊技機１００では、遊技機毎に奥行きＸがバラツク（異なる）こととなっていた。具体的には、奥行きＸの設計値が１９ｍｍである場合、奥行きＸには例えば最大１ｍｍ前後のバラツキが生じていた。
【００１１】
次に、図８（１）及び（２）を用いて、奥行きＸの差異（バラツキ）によって始動口７への入賞率が変化する仕組みについて説明する。ここで、始動口７の直上に設けられている２本の遊技クギ５及び６は、図８（１）及び（２）に示すように、前側（遊技者側）に向かって広がるハの字形状となるようにパチンコホールによってクギ調整される場合が多い。また、図８（１）における遊技クギ５及び６の調整状態と、図８（２）における遊技クギ５及び６の調整状態とは、同一である。この様にハの字形状にクギ調整された場合、始動口７の位置における奥行きＸが大きい程、始動口７に遊技球が入る確率は増加することとなってしまう。以下、具体的に説明する。図８（１）に示すように奥行きＸが大きい場合、遊技球３５は、図８（２）に示すように奥行きＸが小さい場合よりも、より前側まで来ることができる。そして、遊技球３５は、図８（１）に示すようにより手前まで来ると、遊技クギ５及び６の間隔が図８（２）の場合よりも広くなっているので、より始動口７に入る可能性が高くなる。つまり、奥行きＸの差異によって始動口７への入賞率が変化してしまう。
【００１２】
以上のように、従来のパチンコ遊技機１００においては、奥行きＸが遊技機毎に異なってしまい、このことによって始動口７への遊技球の入賞率が影響されていた。更には、上記のように扉部分３を引っ張って奥行きＸを意図的に大きくした遊技者は、始動口７への遊技球の入賞率を意図的に上げることができ、遊技者間の公平性が損なわれることとなっていた。
【００１３】
それ故に、本発明の主要な目的は、透明板の遊技盤側表面から遊技盤表面までの距離（奥行きＸ）を一定に保持することができるパチンコ遊技機を提供することである。
【課題を解決するための手段】
【００１４】
上記の目的を達成するために、本発明は以下の構成を採用した。なお、括弧内の参照符号やステップ番号等は、本発明の理解を助けるために後述する実施形態との対応関係を示したものであって、本発明の範囲を何ら限定するものではない。
【００１５】
遊技盤（２）の前面に形成された遊技領域（１０）に遊技球（３５）が打ち出されるパチンコ遊技機（１）であって、前記遊技領域の前面に配置されて当該遊技領域から遊技球が遊技者側に飛び出すことを防止し、当該遊技領域を視認可能とする透明板（５０）と、前記遊技盤と前記透明板との距離を一定に保持するスペーサ（６０〜６３）とを備える。
【００１６】
また、前記スペーサは、前記遊技盤の表面と前記透明板の当該遊技盤側表面とに当接して配置されてもよい。
【００１７】
また、前記透明板を前記スペーサに押し付ける弾性部材（５２）を有してもよい。
【００１８】
また、前記透明板は、前記遊技盤側に配置される内側透明板（３２）と、遊技者側に配置される外側透明板（３１）とを有し、前記弾性部材は、前記内側透明板と前記外側透明板との間に配置されて、当該内側透明板を前記スペーサに押し付けてもよい。
【発明の効果】
【００１９】
本発明によれば、透明板から遊技盤表面までの距離を一定に保持することができる。
【図面の簡単な説明】
【００２０】
【図１】本発明の一実施形態に係るパチンコ遊技機１の一例を示す概略正面図
【図２】図１のパチンコ遊技機１の扉部分を開いた状態を示す概略図
【図３】図１のパチンコ遊技機１に備えられる透明板５０を説明するための図
【図４】図１のパチンコ遊技機１のＡ−Ａ’断面を示す概略図であり、本実施形態において遊技領域１０の奥行きＸのバラツキを解消して奥行きＸを常に一定に保持する仕組みについて説明するための図
【図５】従来のパチンコ遊技機１００の一例を示す概略正面図
【図６】図５の従来のパチンコ遊技機１００の扉部分を開いた状態を示す概略図
【図７】従来のパチンコ遊技機１００に備えられる透明板１４を説明するための図
【図８】図５の遊技機１００のＦ−Ｆ’断面を示す概略図であり、遊技領域１０の奥行きＸが遊技機によってバラツク仕組み、及び奥行きＸの差異によって始動口７への入賞率が変化する仕組みについて説明するための図
【発明を実施するための形態】
【００２１】
以下、適宜図面を参照しつつ、本発明の一実施形態に係るパチンコ遊技機１について説明する。図１は、本発明の一実施形態に係るパチンコ遊技機１の一例を示す概略正面図である。図２は、図１のパチンコ遊技機１の扉部分を開いた状態を示す概略図である。ここで、図１及び図２は、それぞれ、従来のパチンコ遊技機１００の説明に用いた図５及び図６に対応している。
【００２２】
パチンコ遊技機１は、図５〜図８を用いて説明した従来のパチンコ遊技機１００に対して、スペーサ６０〜６３を追加し、透明板１４を透明板５０に置き換えた構成である。このため、以下では、従来のパチンコ遊技機１００と同じ構成要素等についての説明は省略し、本実施形態に特有の内容について説明を行う。
【００２３】
図１及び図２に示すように、パチンコ遊技機１において、遊技盤２の表面には、円柱形状のスペーサ６０〜６３が互いに間隔を持って配置されている。スペーサ６０〜６３は、同一の高さ（本実施形態では１９ｍｍ）であり、それぞれ、一端の円形面が遊技盤２の表面に固定（例えば、接着）されている。スペーサ６０〜６３の材質は、伸縮しないものが好ましく、例えば、樹脂、金属、木材である。また、後に説明するが、スペーサ６０〜６３の他端は、図１に示す閉状態（本体枠２０に対して扉部分３が閉められた状態）において、透明板５０の内側表面に接している。
【００２４】
図３は、パチンコ遊技機１に備えられる透明板５０を説明するための図である。図３において、（１）は透明板５０の正面図であり、（２）は（１）の正面図のＢ−Ｂ’断面図であり、（３）は（２）のＤ部分の拡大図である。図３（１）及び（２）に示すように、透明板５０は、一本の帯の両端を繋いだ輪形状の枠５１と、透明な平板から成る外側透明板３１と、透明な平板から成る内側透明板３２と、輪状の弾性部材５２とを備える。また、図３（１）及び（２）に示すように、外側透明板３１及び内側透明板３２は互いが平行になるように枠５１にはめ込まれ、弾性部材５２は外側透明板３１と内側透明板３２との間であって枠５１の内周側に配置される。また、図３（３）に示すように、外側透明板３１は枠５１の内周の一端で固定（接着）され、弾性部材５２はその一端面が外側透明板３１に接着されその他端面が内側透明板３２に接着される。ここで、内側透明板３２は、枠５１には固定されない。このことによって、図４を用いて後述するが、内側透明板３２が枠５１に対して移動可能となる。なお、外側透明板３１及び内側透明板３２の材質は例えばガラスや樹脂であり、枠５１の材質は例えば樹脂であり、弾性部材５２の材質は例えばスポンジやゴム等である。以上のように、外側透明板３１と内側透明板３２との間に弾性部材５２を配置することによって、図３（３）に示すように弾性部材５２の反発力によって内側透明板３２が枠５１のストッパ部分５４に押し付けられることとなる。
【００２５】
ここで、図３（１）の８つの矢印で示す枠５１の部分にはガイドレール５３が設けられている。図３（４）は、図３（１）のＣ−Ｃ’断面を示しており、図３（５）は、図３（４）のＥ−Ｅ’断面を示している。図３（４）及び（５）に示すように、ガイドレール５３は、くさび形のレールであり、内側透明板３２の外周に形成された切欠き部分にはまり込む形状をしている。このことによって、図４を用いて後述するように内側透明板３２が枠５１に対して移動する際に枠５１から内側透明板３２が外れることを防止できる。
【００２６】
図４は、図１のパチンコ遊技機１のＡ−Ａ’断面を示す概略図であり、本実施形態において遊技領域１０の奥行きＸのバラツキを解消して奥行きＸを常に一定に保持する仕組みについて説明するための図である。
【００２７】
ここで、図４は、従来のパチンコ遊技機１００の説明に用いた図８に対応している。より具体的には、図４（１）は、Ｙの寸法が比較的大きい場合を示した図８（１）に対応し、図４（２）は、Ｙの寸法が比較的小さい場合を示した図８（２）に対応している。なお、図８を用いて既に説明したが、Ｙの寸法は、本体枠２０、金具２１及び２２、錠部１１、及び扉部分３（連結要素）の寸法バラツキや、これら連結要素間の連結部分のあそび（ガタ）によってバラツキを生じる。
【００２８】
まず、図４（１）に示すようにＹの寸法が大きい場合、内側透明板３２にはスペーサ６０〜６３が当接する。このことによって、奥行きＸは、スペーサ６０〜６３の高さ（１９ｍｍ）となる。なお、図４（１）の点線の楕円部分から分かるように、この場合、内側透明板３２は殆ど前側には押し込まれていない。
【００２９】
次に、図４（２）に示すようにＹの寸法が小さい場合、図４（２）の点線の楕円部分から分かるように内側透明板３２がスペーサ６０〜６３に当接して前側に大きく押し込まれる。このことによって、Ｙの寸法が小さい場合においても、奥行きＸはスペーサ６０〜６３の高さ（１９ｍｍ）に保持される。なお、この場合、弾性部材５２は大きく収縮している。
【００３０】
以上のように、本実施形態によれば、Ｙの寸法に関わらず、スペーサ６０〜６３によって奥行きＸは常に一定に保持される。このことから、本実施形態によれば、奥行きＸが遊技機毎に異なることによる始動口７の入賞率への影響を排除することができる。また、本実施形態によれば、遊技者が扉部分３を引っ張る等してＹの寸法を大きくしたとしても奥行きＸを常に一定に保持できるので、遊技者が不正に奥行きＸを大きくして始動口７への入賞率を不正に上げることを防止できる。
【００３１】
［本実施形態の変形例］
なお、上記した本実施形態では、スペーサ（６０〜６３）を４つ設ける場合を一例に挙げて説明した（図１参照）。しかし、スペーサは１つ以上設けられればよい。
【００３２】
また、上記した本実施形態では、説明の便宜のために、遊技領域１０内にスペーサ６０〜６３を設ける場合を一例に挙げて説明した。しかし、スペーサ６０〜６３は、遊技領域１０の外側に設けられるのが好ましい。このことによって、ペーサ６０〜６３によって見栄えが低下したり遊技球の流下に影響を与えられることを回避できる。
【００３３】
また、上記した本実施形態では、スペーサ６０〜６３の形状が円柱形状である場合を一例として挙げて説明した。しかし、スペーサ６０〜６３の形状はこれには限られず、例えば四角柱形状等の様々な形状であってもよい。
【００３４】
また、上記した本実施形態では、弾性部材５２はスポンジ等から成る輪形状である場合を一例として挙げて説明した。しかし、弾性部材５２は、例えばコイルバネであってもよい。この場合、弾性部材５２は、図３に示すような輪形状で配置されるのではなく、例えば、透明板５０の四隅の内側に配置される。
【００３５】
また、上述したパチンコ遊技機１に設けられている各構成要素の形状、数、および設置位置等は、単なる一例に過ぎず他の形状、数、および設置位置であっても、本発明の範囲を逸脱しなければ本発明を実現できることは言うまでもない。また、上述した処理で用いられている数値等は、単なる一例に過ぎず他の数値等であっても、本発明を実現できることは言うまでもない。
【００３６】
以上、本発明を実施形態を用いて詳細に説明してきたが、前述の説明はあらゆる点において本発明の例示にすぎず、その範囲を限定しようとするものではない。本発明の範囲を逸脱することなく種々の改良や変形を行うことができることは言うまでもない。また、本明細書において使用される用語は、特に言及しない限り、当該分野で通常用いられる意味で用いられることが理解されるべきである。したがって、他に定義されない限り、本明細書中で使用される全ての専門用語および技術用語は、本発明の属する分野の当業者によって一般的に理解されるのと同じ意味を有する。矛盾する場合、本明細書（定義も含めて）が優先する。
【００３７】
［以上の実施形態の主要な効果］
以上のように、パチンコ遊技機１は、遊技盤２の表面にスペーサ６０〜６３を備える。
このことによって、パチンコ遊技機１は、遊技盤２と透明板５０との距離（奥行きＸ）を一定に保持することができる。この結果として、奥行きＸが遊技機毎に異なることによる始動口７の入賞率への影響を排除することができる。また、遊技者が扉部分３を引っ張る等してＹの寸法を大きくしたとしても奥行きＸを常に一定に保持できるので、遊技者が不正に奥行きＸを大きくして始動口７への入賞率を不正に上げることを防止できる。
【００３８】
また、スペーサ６０〜６３は、遊技盤２の表面と透明板５０の内側表面とに当接して配置される。
このことによって、奥行きＸは厳密にスペーサ６０〜６３の高さに保持される。
【００３９】
また、透明板５０をスペーサ６０〜６３に押し付ける弾性部材５２が設けられる。
このことによって、図４に示したＹの寸法が変化しても、奥行きＸは厳密にスペーサ６０〜６３の高さに保持される。
【００４０】
また、透明板５０の内側透明板３２をスペーサ６０〜６３に押し付ける弾性部材５２が、外側透明板３１と内側透明板３２との間に設けられる。
このことによって、透明板５０が二重構造である場合において図４に示したＹの寸法が変化しても、奥行きＸは厳密にスペーサ６０〜６３の高さに保持される。
【符号の説明】
【００４１】
１、１００…パチンコ遊技機
２…遊技盤
３…扉部分
４…画像表示部
５、６…遊技クギ
７…始動口
１０…遊技領域
１１…錠部
１４、５０…透明板
２０…本体枠
２１、２２…金具
２４…ストッパ
２５…貫通穴
３０、５１…枠
３１…外側透明板
３２…内側透明板
３５…遊技球
５２…弾性部材
５３…ガイドレール
６０〜６３…スペーサ
【図１】
2013059492.tif 000003
【図２】
2013059492.tif 000004
【図３】
2013059492.tif 000005
【図４】
2013059492.tif 000006
【図５】
2013059492.tif 000007
【図６】
2013059492.tif 000008
【図７】
2013059492.tif 000009
【図８】
2013059492.tif 000010